(57)【要約】  本発明の実施例は、信号伝送方法、端末機器、及びネットワーク機器を提供し、当該方法は、第１の機器が、基本伝送間隔および少なくとも一つの基礎パラメータセットを確定することと、当該第１の機器が、当該基本伝送間隔を時間ドメイン単位として、当該少なくとも一つの基礎パラメータセット中のパラメータを採用して、第２の機器とのデータ及び／又はパイロット信号の伝送を実行することを、含む。本発明の実施例によって提供される方法、端末機器、及びネットワーク機器によると、信号伝送の柔軟性を向上させることができる。
2019527516.tif 000002
【特許請求の範囲】
【請求項１】
信号伝送方法であって、
第１の機器が、基本伝送間隔および少なくとも一つの基礎パラメータセットを確定することと、
前記第１の機器が、前記基本伝送間隔を時間ドメイン単位として、前記少なくとも一つの基礎パラメータセット中のパラメータを採用して、第２の機器とのデータ及び／又はパイロット信号の伝送を実行することとを含む、前記方法。
【請求項２】
前記第１の機器が、少なくとも一つの基礎パラメータセットを確定することは、
前記第１の機器が、複数の基礎パラメータセットの中から、前記少なくとも一つの基礎パラメータセットを確定することを含むことを特徴とする
請求項１に記載の方法。
【請求項３】
前記第１の機器が、前記基本伝送間隔を時間ドメイン単位として、前記少なくとも一つの基礎パラメータセット中のパラメータを採用して、第２の機器とのデータ及び／又はパイロット信号の伝送を実行することは、
前記第１の機器が、前記少なくとも一つの基礎パラメータセットに基づいて、前記少なくとも一つの基礎パラメータセットの中の各基礎パラメータセット内の伝送時間ユニットに対応される時間長さを確定することと、
前記第１の機器が、前記基本伝送間隔、および、前記各基礎パラメータセット内の伝送時間ユニットに対応される時間長さに基づいて、前記各基礎パラメータセットに対応される、前記基本伝送間隔内の前記伝送時間ユニットの数である伝送時間ユニット数を確定することと、
前記第１の機器が、それぞれ前記各基礎パラメータセットに対応される伝送時間ユニット数を時間ドメイン単位として、前記第２の機器との前記データ及び／又は前記パイロット信号の伝送を、実行することとを含むことを特徴とする
請求項１又は２に記載の方法。
【請求項４】
前記第１の機器が、基本伝送間隔を確定することは、
前記第１の機器が、記憶されたプリセット情報に基づいて、前記基本伝送間隔を確定することを含むか、或いは、
前記第１の機器が、受信された前記第２の機器からの、前記基本伝送間隔を指示するために用いられる制御シグナリングに基づいて、前記基本伝送間隔を確定することを含むことを特徴とする
請求項１乃至３のうちのいずれか１項に記載の方法。
【請求項５】
前記第１の機器が、基本伝送間隔を確定した後に、
前記第１の機器が、制御シグナリングを、前記第２の機器に送信し、前記第２の機器が、前記制御シグナリングに基づいて、前記基本伝送間隔を確定するようにすることをさらに含むことを特徴とする
請求項１乃至３のいずれか１項に記載の方法。
【請求項６】
前記データ及び／又は前記パイロット信号をスケジューリングするために用いられるスケジューリングシグナリングによって占用される伝送時間ユニットと、前記第１の機器が前記データ及び／又は前記パイロット信号を送信又は受信する伝送時間ユニットとの間の時間差分は、前記基本伝送間隔の正の整数倍であることを特徴とする
請求項１乃至５のいずれか１項に記載の方法。
【請求項７】
前記第１の機器によって送信される前記データによって占用される伝送時間ユニットと、前記第１の機器によって受信される、対応するＡＣＫ／ＮＡＣＫフィードバック情報によって、占用される伝送時間ユニットとの間の時間差分は、前記基本伝送間隔の正の整数倍であるか、或いは、前記第１の機器によって受信される前記データによって占用される伝送時間ユニットと、前記第１の機器によって送信される、対応するＡＣＫ／ＮＡＣＫフィードバック情報によって、占用される伝送時間ユニットとの間の時間差分は、前記基本伝送間隔の正の整数倍であることを特徴とする
請求項１乃至６のいずれか１項に記載の方法。
【請求項８】
前記第１の機器が、前記第１の機器によって単一の基本伝送間隔内で受信されるすべてのデータ伝送ブロックに対応されるＡＣＫ／ＮＡＣＫフィードバック情報を、送信することをさらに含むか、或いは、前記第１の機器が、前記第１の機器によって単一の基本伝送間隔内で送信されたすべてのデータ伝送ブロックに対応されるＡＣＫ／ＮＡＣＫフィードバック情報を、受信することをさらに含むことを特徴とする
請求項１乃至６のいずれか１項に記載の方法。
【請求項９】
前記第１の機器が、前記基本伝送間隔を時間ドメイン単位として、前記少なくとも一つの基礎パラメータセット中のパラメータを採用して、第２の機器とのデータ及び／又はパイロット信号の伝送を実行する前に、
前記第１の機器が、前記第２の機器によって送信された、単一の基本伝送間隔内のデータ伝送ブロックをスケジューリングするために用いられるスケジューリングシグナリングを受信することをさらに含む
請求項１乃至８のいずれか１項に記載の方法。
【請求項１０】
前記第１の機器が、前記基本伝送間隔を時間ドメイン単位として、前記少なくとも一つの基礎パラメータセット中のパラメータを採用して、第２の機器とのデータ及び／又はパイロット信号の伝送を実行する前に、
前記第１の機器が、単一の基本伝送間隔内のデータ伝送ブロックをスケジューリングするために用いられる、スケジューリングシグナリングを、前記第２の機器に送信することをさらに含むことを特徴とする
請求項１乃至８のいずれか１項に記載の方法。
【請求項１１】
前記基礎パラメータセットは、サブキャリア間隔、システム帯域幅に対応されるサブキャリア数、物理リソースブロック（ＰＲＢ）に対応されるサブキャリア数、直交周波数分割多重（ＯＦＤＭ）のシンボル長さ、ＯＦＤＭ信号の作成に使用されたＦＦＴ又はＩＦＦＴのポイント数、伝送時間間隔（ＴＴＩ）に含まれた前記ＯＦＤＭシンボル数、第１の時間段内に含まれた前記ＴＴＩの数、および、信号プレフィックス長さの中の、少なくとも１つのパラメータを含むことを特徴とする
請求項１乃至１０のいずれか１項に記載の方法。
【請求項１２】
前記基本伝送間隔は、１ｍｓの正の整数倍であることを特徴とする
請求項１乃至１１のいずれか１項に記載の方法。
【請求項１３】
前記データと前記パイロット信号とは、異なる基本伝送間隔を採用することを特徴とする
請求項１乃至１２のいずれか１項に記載の方法。
【請求項１４】
信号伝送機器であって、
前記機器は、第１の機器であり、
前記機器は、
基本伝送間隔および少なくとも一つの基礎パラメータセットを確定するように構成される確定ユニットと、
前記基本伝送間隔を時間ドメイン単位として、前記少なくとも一つの基礎パラメータセット中のパラメータを採用して、第２の機器とのデータ及び／又はパイロット信号の伝送を実行するように構成される伝送ユニットとを含む前記機器。
【請求項１５】
前記確定ユニットは、具体的に、
複数の基礎パラメータセットの中から、前記少なくとも一つの基礎パラメータセットを確定するように構成されることを特徴とする
請求項１４に記載の機器。
【請求項１６】
前記伝送ユニットは、具体的に、
前記少なくとも一つの基礎パラメータセットに基づいて、前記少なくとも一つの基礎パラメータセットの中の各基礎パラメータセット内の伝送時間ユニットに対応される時間長さを確定し、
前記基本伝送間隔、および、前記各基礎パラメータセット内の伝送時間ユニットに対応される時間長さに基づいて、前記各基礎パラメータセットに対応される、前記基本伝送間隔内の前記伝送時間ユニットの数である伝送時間ユニット数を確定し、
それぞれ前記各基礎パラメータセットに対応される伝送時間ユニット数を時間ドメイン単位として、前記第２の機器との前記データ及び／又は前記パイロット信号の伝送を、実行するように構成されることを特徴とする
請求項１４又は１５に記載の機器。
【請求項１７】
前記確定ユニットは、具体的に、
記憶されたプリセット情報に基づいて、前記基本伝送間隔を確定するように構成されるか、或いは、
受信された前記第２の機器からの、前記基本伝送間隔を指示するために用いられる制御シグナリングに基づいて、前記基本伝送間隔を確定するように構成されることを特徴とする
請求項１４乃至１６のいずれか１項に記載の機器。
【請求項１８】
制御シグナリングを、前記第２の機器に送信し、前記第２の機器が、前記制御シグナリングに基づいて、前記基本伝送間隔を確定するようにするように構成される送信ユニットをさらに含むことを特徴とする
請求項１４乃至１６のいずれか１項に記載の機器。
【請求項１９】
前記データ及び／又は前記パイロット信号をスケジューリングするために用いられるスケジューリングシグナリングによって占用される伝送時間ユニットと、前記端末機器が送信又は受信した前記データ及び／又は前記パイロット信号によって占用される伝送時間ユニットとの間の時間差分は、前記基本伝送間隔の正の整数倍であることを特徴とする
請求項１４乃至１８のいずれか１項に記載の機器。
【請求項２０】
前記機器によって送信された前記データによって占用される伝送時間ユニットと、前記機器が受信した対応するＡＣＫ／ＮＡＣＫフィードバック情報によって占用される伝送時間ユニットとの間の時間差分は、前記基本伝送間隔の正の整数倍であるか、或いは、前記機器が受信した前記データによって占用される伝送時間ユニットと、前記機器によって送信される、対応するＡＣＫ／ＮＡＣＫフィードバック情報によって、占用される伝送時間ユニットとの間の時間差分は、前記基本伝送間隔の正の整数倍であることを特徴とする
請求項１４乃至１９のいずれか１項に記載の機器。
【請求項２１】
前記機器によって単一の基本伝送間隔内で受信されるすべてのデータ伝送ブロックに対応されるＡＣＫ／ＮＡＣＫフィードバック情報を、送信するように構成される第２の送信ユニットをさらに含むか、或いは、
前記機器によって単一の基本伝送間隔内で送信されたすべてのデータ伝送ブロックに対応されるＡＣＫ／ＮＡＣＫフィードバック情報を、受信するように構成される第１の受信ユニットをさらに含むことを特徴とする
請求項１４乃至１９のいずれか１項に記載の機器。
【請求項２２】
前記第２の機器によって送信された、単一の基本伝送間隔内のデータ伝送ブロックをスケジューリングするために用いられるスケジューリングシグナリングを、受信するように構成される第２の受信ユニットをさらに含むことを特徴とする
請求項１４乃至２１のいずれか１項に記載の機器。
【請求項２３】
単一の基本伝送間隔内のデータ伝送ブロックをスケジューリングするために用いられるスケジューリングシグナリングを、前記第２の機器に送信するように構成される第３の送信ユニットをさらに含むことを特徴とする
請求項１４乃至２１のいずれか１項に記載の機器。
【請求項２４】
前記基礎パラメータセットは、サブキャリア間隔、システム帯域幅に対応されるサブキャリア数、物理リソースブロック（ＰＲＢ）に対応されるサブキャリア数、直交周波数分割多重（ＯＦＤＭ）のシンボル長さ、ＯＦＤＭ信号の作成に使用されたＦＦＴ又はＩＦＦＴのポイント数、伝送時間間隔（ＴＴＩ）に含まれた前記ＯＦＤＭシンボル数、第１の時間段内に含まれた前記ＴＴＩの数、および、信号プレフィックス長さの中の、少なくとも１つのパラメータを含むことを特徴とする
請求項１４乃至２３のいずれか１項に記載の機器。
【請求項２５】
前記基本伝送間隔は、１ｍｓの正の整数倍であることを特徴とする
請求項１４乃至２４のいずれか１項に記載の機器。
【請求項２６】
前記データと前記パイロット信号とは、異なる基本伝送間隔を採用することを特徴とする
請求項１４乃至２５のいずれか１項に記載の機器。
【請求項２７】
前記第１の機器は、端末機器或いはネットワーク機器であるか、及び／又は、前記第２の機器は、端末機器或いはネットワーク機器であることを特徴とする
請求項１４乃至２６のいずれか１項に記載の機器。
【発明の詳細な説明】
【技術分野】
【０００１】
本発明は、通信分野に関し、特に、信号伝送方法、端末機器、及びネットワーク機器に関する。
【背景技術】
【０００２】
無線通信技術の継続的な発展により、ロング・ターム・エヴォリューション(ＬＴＥ：Ｌｏｎｇ  Ｔｅｒｍ  Ｅｖｏｌｕｔｉｏｎ)は、サービス種類が比較的に単一であるため、即ち、固定のサブキャリア幅または単一のサブキャリア幅を採用するため、すべてのサービスを最適化させることができず、このため、信号伝送の柔軟性を向上させることができる、新たな信号伝送方法が、早急になされなければならない。
【発明の概要】
【０００３】
本発明の実施例は、上記の問題に鑑み、信号伝送の柔軟性を向上させることができる、信号伝送方法、端末機器、及びネットワーク機器を提出した。
【０００４】
第１の態様によると、信号伝送方法を提供し、当該方法は、第１の機器が、基本伝送間隔および少なくとも一つの基礎パラメータセットを確定することと、当該第１の機器が、当該基本伝送間隔を時間ドメイン単位として、当該少なくとも一つの基礎パラメータセット中のパラメータを採用して、第２の機器とのデータ及び／又はパイロット信号の伝送を実行することとを含む。
【０００５】
複数のｎｕｍｅｒｏｌｏｇｙをサポートし、信号伝送の柔軟性を維持することができる、新たな、信号伝送方法を提出した。
【０００６】
オプションとして、第１の機器によって一つの基礎パラメータセットが確定されると、当該基本伝送間隔は当該基礎パラメータセット中のパラメータによって確定される基礎伝送間隔の時間長さであってもよいし、第１の機器によって複数の基礎パラメータセットが確定されると、当該基本伝送間隔は、当該複数の基礎パラメータセットの中のパラメータによって確定される一つの固定時間長さであってもよい。
【０００７】
第１の態様と結合して、第１の態様の第１の実現可能な形態において、当該第１の機器が、少なくとも一つの基礎パラメータセットを確定することは、当該第１の機器が、複数の基礎パラメータセットの中から、当該少なくとも一つの基礎パラメータセットを確定することを含む。
【０００８】
オプションとして、当該複数の基礎パラメータセットは、第１の機器内に設定されていてもよく、第１の機器と通信する第２の機器内に設定されていてもよく、第１の機器によって当該第１の機器の伝送パラメータ(例えば、作業周波数ポイントである)に基づいて確定された基礎パラメータセットであってもよく、或いは、予め合意されて第１の機器または第２の機器内に記憶されている基礎パラメータセットであってもよい。
【０００９】
第１の機器は、複数の基礎パラメータセットが存在する場合に、一つの基礎パラメータセットのみを選択して、他の機器との信号伝送を実行することにより、第１の機器の伝送信号が適切な検出ウィンドウまたは送信ウィンドウを有するように確保でき、さらに、第１の機器は、複数の基礎パラメータセットを選択する場合に、確定された基本伝送間隔を、第１の機器の信号を伝送する検出ウィンドウまたは送信ウィンドウとして、異なる基礎パラメータセットを同時に採用する異なるセル同士の間で、良好に干渉調整を実行することもできる。
【００１０】
第１の態様または上記の第１の態様の中のいずれか一つの実現可能な形態と結合して、第１の態様の第２の実現可能な形態において、当該第１の機器が、当該基本伝送間隔を時間ドメイン単位として、当該少なくとも一つの基礎パラメータセット中のパラメータを採用して、第２の機器とのデータ及び／又はパイロット信号の伝送を実行することは、当該第１の機器が、当該少なくとも一つの基礎パラメータセットに基づいて、当該少なくとも一つの基礎パラメータセットの中の各基礎パラメータセット内の伝送時間ユニットに対応される時間長さを確定することと、当該第１の機器が、当該基本伝送間隔、および、当該各基礎パラメータセット内の伝送時間ユニットに対応される時間長さに基づいて、当該各基礎パラメータセットに対応される、当該基本伝送間隔内の当該伝送時間ユニットの数である伝送時間ユニット数を確定することと、当該第１の機器が、それぞれ当該各基礎パラメータセットに対応される伝送時間ユニット数を時間ドメイン単位として、前記第２の機器との前記データ及び／又は前記パイロット信号の伝送を実行することとを含む。
【００１１】
伝送時間ユニットは、信号を伝送するための時間ドメインリソース単位であり、伝送時間間隔(ＴＴＩ：Ｔｒａｎｓｍｉｓｓｉｏｎ  Ｔｉｍｅ  Ｉｎｔｅｒｖａｌ)、サブフレーム、無線フレーム、直交周波数分割多重(ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ)シンボルなどの、ＬＴＥシステム中で定義された伝送時間ユニットであってもよく、第５世代通信(５Ｇ)システム中で新たに定義された伝送時間ユニットであってもよい。
【００１２】
信号は、一般的に、一つの伝送時間ユニットを基本伝送単位として伝送され、例えば、一つのＴＴＩを基本伝送単位とすることにより、各信号が伝送される持続時間がいずれも伝送時間ユニットの整数倍になるように確保する。同様に、本発明の実施例においては、基本伝送間隔内の伝送時間ユニットの数は、時間ドメイン単位であり、即ち、毎回の伝送に使用する伝送時間ユニットの数は、いずれも、基本伝送間隔内の伝送時間ユニット数の整数倍である。
【００１３】
第１の態様または上記の第１の態様の中のいずれか一つの実現可能な形態と結合して、第１の態様の第３の実現可能な形態において、当該第１の機器が、基本伝送間隔を確定することは、当該第１の機器が、記憶されたプリセット情報に基づいて、当該基本伝送間隔を確定することを含むか、或いは、当該第１の機器が、受信された第２の機器からの制御シグナリングに基づいて、当該基本伝送間隔を確定し、当該制御シグナリングが当該基本伝送間隔を指示するために用いられることを含む。
【００１４】
第１の態様または上記の第１の態様の中のいずれか一つの実現可能な形態と結合して、第１の態様の第４の実現可能な形態において、当該第１の機器が、基本伝送間隔を確定した後に、当該第１の機器が、制御シグナリングを、第２の機器に送信することにより、当該第２の機器が、当該制御シグナリングに基づいて、当該基本伝送間隔を確定するようにすることをさらに含む。
【００１５】
当該第１の機器は、端末機器であってもよいし、ネットワーク側機器であってもよく、当該第２の機器は、端末機器であってもよいし、ネットワーク側機器であってもよく、当該第１の機器は、受信側であってもよいし、送信側であってもよい。
【００１６】
好ましくは、当該第１の機器は、端末機器であり、当該第２の機器は、ネットワーク側機器であり、当該制御シグナリングは、ダウンリンク制御シグナリングであってもよく、当該ダウンリンク制御シグナリングは、複数の合意された基本伝送間隔の中の一つを指示してもよい。
【００１７】
第１の態様または上記の第１の態様の中のいずれか一つの実現可能な形態と結合して、第１の態様の第５の実現可能な形態において、当該データ及び／又は当該パイロット信号をスケジューリングするために用いられるスケジューリングシグナリングによって占用される伝送時間ユニットと、当該第１の機器によって送信又は受信される当該データ及び／又は当該パイロット信号によって占用される伝送時間ユニットとの間の時間差分は、当該基本伝送間隔の正の整数倍である。
【００１８】
第１の態様または上記の第１の態様の中のいずれか一つの実現可能な形態と結合して、第１の態様の第６の実現可能な形態において、当該第１の機器によって送信される当該データによって占用される伝送時間ユニットと、当該第１の機器によって受信される、対応するＡＣＫ／ＮＡＣＫフィードバック情報によって、占用される伝送時間ユニットとの間の時間差分は、当該基本伝送間隔の正の整数倍であるか、或いは、当該第１の機器によって受信される当該データによって占用される伝送時間ユニットと、当該第１の機器によって送信される、対応するＡＣＫ／ＮＡＣＫフィードバック情報によって、占用される伝送時間ユニットとの間の時間差分は、当該基本伝送間隔の正の整数倍である。
【００１９】
第１の態様または上記の第１の態様の中のいずれか一つの実現可能な形態と結合して、第１の態様の第７の実現可能な形態において、当該第１の機器が、当該第１の機器によって単一の基本伝送間隔内で受信されるすべてのデータ伝送ブロックに対応されるＡＣＫ／ＮＡＣＫフィードバック情報を、送信することをさらに含むか、或いは、当該第１の機器が、当該第１の機器によって単一の基本伝送間隔内で送信されたすべてのデータ伝送ブロックに対応されるＡＣＫ／ＮＡＣＫフィードバック情報を、受信することをさらに含む。
【００２０】
第１の態様または上記の第１の態様の中のいずれか一つの実現可能な形態と結合して、第１の態様の第８の実現可能な形態において、当該第１の機器が、当該基本伝送間隔を時間ドメイン単位として、当該少なくとも一つの基礎パラメータセット中のパラメータを採用して、第２の機器とのデータ及び／又はパイロット信号の伝送を実行する前に、当該第１の機器が、当該第１の機器によって受信された第２の機器が送信したスケジューリングシグナリングに基づいて、単一の基本伝送間隔内のデータ伝送ブロックをスケジューリングすることをさらに含む。
【００２１】
第１の態様または上記の第１の態様の中のいずれか一つの実現可能な形態と結合して、第１の態様の第９の実現可能な形態において、当該第１の機器が、当該基本伝送間隔を時間ドメイン単位として、当該少なくとも一つの基礎パラメータセット中のパラメータを採用して、第２の機器とのデータ及び／又はパイロット信号の伝送を実行する前に、当該第１の機器が、単一の基本伝送間隔内のデータ伝送ブロックをスケジューリングするために用いられる、スケジューリングシグナリングを、当該第２の機器に送信することをさらに含む。
【００２２】
第１の態様または上記の第１の態様の中のいずれか一つの実現可能な形態と結合して、第１の態様の第１０の実現可能な形態において、当該基礎パラメータセットは、サブキャリア間隔、システム帯域幅に対応されるサブキャリア数、物理リソースブロック(ＰＲＢ：ｐｈｙｓｉｃａｌ  ｒｅｓｏｕｒｃｅ  ｂｌｏｃｋ)に対応されるサブキャリア数、直交周波数分割多重（ＯＦＤＭ）のシンボル長さ、ＯＦＤＭ信号の作成に使用された高速フーリエ変換(ＦＦＴ：Ｆａｓｔ  Ｆｏｕｒｉｅｒ  Ｔｒａｎｓｆｏｒｍａｔｉｏｎ)又は逆高速フーリエ変換（ＩＦＦＴ：Ｉｎｖｅｒｓｅ  Ｆａｓｔ  Ｆｏｕｒｉｅｒ  Ｔｒａｎｓｆｏｒｍ)のポイント数、伝送時間間隔（ＴＴＩ）に含まれた当該ＯＦＤＭシンボル数、および、第１の時間段内に含まれた当該ＴＴＩの数および信号プレフィックス長さの中の、少なくとも１つのパラメータを含む。
【００２３】
第１の態様または上記の第１の態様の中のいずれか一つの実現可能な形態と結合して、第１の態様の第１１の実現可能な形態において、当該基本伝送間隔は、１ｍｓの正の整数倍である。
【００２４】
第１の態様または上記の第１の態様の中のいずれか一つの実現可能な形態と結合して、第１の態様の第１２の実現可能な形態において、当該データと当該パイロット信号とは、異なる基本伝送間隔を採用する。
【００２５】
第２の態様によると、端末機器を提供し、当該端末機器は、上記の第１の態様又は第１の態様の中のいずれか一つの実現可能な形態における方法を実行するように構成される。具体的に、当該装置は、上記の第１の態様又は第１の態様の中のいずれか一つの実現可能な形態における方法を実行するためのユニットを備える。
【００２６】
第３の態様によると、ネットワーク機器を提供し、当該ネットワーク機器は、上記の第１の態様又は第１の態様の中のいずれか一つの実現可能な形態における方法を実行するように構成される。具体的に、当該装置は、上記の第１の態様又は第１の態様の中のいずれか一つの実現可能な形態における方法を実行するためのユニットを備える。
【００２７】
第４の態様によると、端末機器を提供し、当該機器は、メモリと、プロセッサと、入出力インタフェースと、通信インタフェースと、バスシステムとを備える。その中、メモリと、プロセッサと、入出力インタフェースと、通信インタフェースとは、バスシステムによって接続され、当該メモリは、命令を記憶するように構成され、当該プロセッサが、当該メモリに記憶された命令が実行するように構成されて、当該命令が実行されると、当該通信インタフェースを介して第１の態様の方法を実行し、また、入出力インタフェースが入力されるデータおよび情報を受信し、操作結果などのデータを出力するように、制御する。
【００２８】
第５の態様によると、ネットワーク機器を提供し、当該ネットワーク機器は、メモリと、プロセッサと、入出力インタフェースと、通信インタフェースと、バスシステムとを備える。その中、メモリと、プロセッサと、入出力インタフェースと、通信インタフェースとは、バスシステムによって接続され、当該メモリは、命令を記憶するように構成され、当該プロセッサが、当該メモリに記憶された命令が実行するように構成されて、当該命令が実行されると、当該通信インタフェースを介して第１の態様の方法を実行し、また、入出力インタフェースが入力されるデータおよび情報を受信し、操作結果などのデータを出力するように、制御する。
【００２９】
第６の態様によると、コンピュータ記憶媒体を提供し、当該コンピュータ記憶媒体は、上記の方法で使用されるコンピュータソフトウェア命令を記憶するように構成され、上記の態様を実行するために設計されたプログラムを含む。
【００３０】
本発明において、端末機器およびネットワーク機器の名称は、機器自身に対して限定しない。実際の実現において、これら機器は、他の名称で出現されてもよい。それぞれの機器の機能が本発明と同様である限り、それらは特許請求の範囲およびそのなど価物の範囲内に属される。
【００３１】
本発明のこれら態様または他の態様は、以下の実施例の説明からより明らかになる。
【図面の簡単な説明】
【００３２】
【図１】本発明の実施例の可能な応用場面を示す模式図である。
【図２】本発明の実施例によって提供される信号伝送方法を示す例示的な一ブロック図である。
【図３】本発明の実施例によって提供されるエアインターフェイス・タイミングを示す模式図である。
【図４】本発明の実施例によって提供される信号伝送方法を示す一フローチャートである。
【図５】本発明の実施例によって提供される信号伝送方法を示すもう一フローチャートである。
【図６】本発明の実施例によって提供される信号を伝送するための端末機器を示す例示的な一ブロック図である。
【図７】本発明の実施例によって提供される信号を伝送するためのネットワーク機器を示す例示的な一ブロック図である。
【図８】本発明の実施例によって提供される信号を伝送するための端末機器を示す例示的なもう一ブロック図である。
【図９】本発明の実施例によって提供される信号を伝送するためのネットワーク機器を示す例示的なもう一ブロック図である。
【発明を実施するための形態】
【００３３】
本発明の実施例の技術案をより明確に説明するために、上記において、本発明の実施例で使用する必要がある図面を簡単に説明し、明らかに、上記に説明する図面はただ本発明の幾つかの実施例に、当業者にとって、創造的な労力を払わない前提で、これらの図面に基づいてその他の図面が得ることができる。
【００３４】
以下、本発明の実施例の図面を結合して、本発明の実施例の技術案を明確的且つ全面的に説明する。当然ながら、説明されている実施例は、本発明の一部の実施例に過ぎず、全ての実施例ではない。当業者によって本発明の実施例に基づいて創造的な労力を払わずに得られる全てのその他の実施例は、本発明の範囲内に属する。
【００３５】
本発明の実施例の技術案は、例えば、グローバルモバイル通信（ＧＳＭ：Ｇｌｏｂａｌ  Ｓｙｓｔｅｍ  ｏｆ  Ｍｏｂｉｌｅ  Ｃｏｍｍｕｎｉｃａｔｉｏｎ）システム、シンボル分割多重接続（ＣＤＭＡ：Ｃｏｄｅ  Ｄｉｖｉｓｉｏｎ  Ｍｕｌｔｉｐｌｅ  Ａｃｃｅｓｓ）システム、広帯域シンボル分割多重接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、ロング・ターム・エヴォリューション（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）システム、ユニバーサル移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、グローバルインターコネクトマイクロ波アクセス（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム、又は、将来の第５世代（５Ｇ）通信システムなどのような、様々な通信システムに適用されることができることを、理解すべきである。
【００３６】
特に、本発明の実施例の技術案は、例えば、疎コード多重アクセス（ＳＣＭＡ：Ｓｐａｒｓｅ  Ｃｏｄｅ  Ｍｕｌｔｉｐｌｅ  Ａｃｃｅｓｓ）システム、低密度シグネチャ（ＬＤＳ：Ｌｏｗ  Ｄｅｎｓｉｔｙ  Ｓｉｇｎａｔｕｒｅ）システムなどのような、様々な非直交多重アクセス技術に基づく通信システムに適用されることができる。当然ながら、ＳＣＭＡシステムおよびＬＤＳシステムは、通信分野において、他の名称と呼ぶこともできる。さらに、本発明の実施例の技術案は、例えば、非直交多重アクセスアクセス技術を採用する直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）、フィルタバンクマルチキャリア（ＦＢＭＣ：Ｆｉｌｔｅｒ  Ｂａｎｋ  Ｍｕｌｔｉ−Ｃａｒｒｉｅｒ）、汎用の周波数分割多重（ＧＦＤＭ：Ｇｅｎｅｒａｌｉｚｅｄ  Ｆｒｅｑｕｅｎｃｙ  Ｄｉｖｉｓｉｏｎ  Ｍｕｌｔｉｐｌｅｘｉｎｇ）、フィルタ直交周波数分割多重（Ｆ−ＯＦＤＭ：Ｆｉｌｔｅｒｅｄ−ＯＦＤＭ）システムなどのような、非直交多重アクセス技術を採用するマルチキャリア伝送システムに適用されることができる。
【００３７】
本発明の実施例の第１の機器は、ネットワーク側機器であってもよいし、端末機器であってもよく、第２の機器は、ネットワーク側機器であってもよいし、端末機器であってもよい。典型的には、第１の機器は、端末機器であり、第２の機器は、ネットワーク側機器である。
【００３８】
本発明の実施例において、端末機器は、ユーザ機器（ＵＥ、Ｕｓｅｒ  Ｅｑｕｉｐｍｅｎｔ）、アクセス端末、ユーザユニット、ユーザステーション、移動ステーション、移動局、遠隔局、遠隔端末、移動機器、ユーザ端末、端末、無線通信デバイス、ユーザエージェント又はユーザ装置を指すことが可能である。端末機器は、セルラー電話、無線電話、セッション確立プロトコル（ＳＩＰ：Ｓｅｓｓｉｏｎ  Ｉｎｉｔｉａｔｉｏｎ  Ｐｒｏｔｏｃｏｌ）電話、ワイヤレス・ローカル・ループ（ＷＬＬ：Ｗｉｒｅｌｅｓｓ  Ｌｏｃａｌ  Ｌｏｏｐ）ステーション、パーソナルデジタル処理（ＰＤＡ：Ｐｅｒｓｏｎａｌ  Ｄｉｇｉｔａｌ  Ａｓｓｉｓｔａｎｔ）、無線通信機能を有する携帯機器、計算デバイス又は無線変調復調器に接続するその他の機器、車載デバイス、ウェアラブルデバイス、および将来の５Ｇネットワークにおける端末機器、又は将来進化型ＰＬＭＮネットワークにおける端末機器などであってもよい。
【００３９】
本発明の実施例において、ネットワーク機器は、端末機器と通信するための機器であってもよく、当該ネットワーク機器は、ＧＳＭシステム又はＣＤＭＡの基地局（ＢＴＳ：Ｂａｓｅ  Ｔｒａｎｓｃｅｉｖｅｒ  Ｓｔａｔｉｏｎ）であってもよく、ＷＣＤＭＡシステムにおける基地局（ＮＢ：ＮｏｄｅＢ）であってもよく、ＬＴＥシステムにおける進化型基地局（ｅＮＢ：Ｅｖｏｌｕｔｉｏｎａｌ  Ｎｏｄｅ  Ｂ又はｅＮｏｄｅＢ）であってもよく、或いは、クラウド無線アクセスネットワーク（ＣＲＡＮ：Ｃｌｏｕｄ  Ｒａｄｉｏ  Ａｃｃｅｓｓ  Ｎｅｔｗｏｒｋ）中のワイヤレスコントローラであってもよい。或いは、当該ネットワーク機器は、中継局、アクセスポイント、車載デバイス、ウェアラブルデバイス及び将来の５Ｇネットワークにおけるアクセスネットワークデバイス或いは将来進化型ＰＬＭＮネットワークにおけるネットワーク機器などであってもよく、本発明の実施例はこれらに対し限定しない。
【００４０】
図１は、本発明の一応用場面を示す模式図である。図１中の通信システムは、端末機器１０とネットワーク機器２０とを含んでもよい。ネットワーク機器２０は、端末機器１０に対して通信サービスを提供して、コアネットワークにアクセスさせる。端末機器１０は、ネットワーク機器２０によって送信された同期信号、ブロードキャスト信号、などを検索して、ネットワークにアクセスすることにより、ネットワークとの通信を行う。図１に示した矢印は、端末機器１０とネットワーク機器２０との間のセルラーリンクを介して行われるアップリンク／ダウンリンク伝送を、示してもよい。
【００４１】
図２は、本発明の実施例に係る信号伝送方法を示す例示的なフローチャートである。図２に示したように、方法１００は、Ｓ１１０〜Ｓ１２０を含む。
【００４２】
Ｓ１１０において、第１の機器が、基本伝送間隔および少なくとも一つの基礎パラメータセットを確定する。
【００４３】
Ｓ１２０において、当該第１の機器が、当該基本伝送間隔を時間ドメイン単位として、当該少なくとも一つの基礎パラメータセット中のパラメータを採用して、第２の機器とのデータ及び／又はパイロット信号の伝送を実行する。
【００４４】
まず、以下の点を説明する必要がある。
【００４５】
１、ここでのデータ及び／又はパイロット信号は、アップリンクデータ及び／又はパイロット信号であってもよいし、ダウンリンクデータ及び／又はパイロット信号であってもよい。
【００４６】
２、ここでの基本伝送間隔は、例えば、秒、ミリ秒またはマイクロ秒を単位時間長さとする絶対時間長さであってもよく、典型的には、１ｍｓの正の整数倍である。
【００４７】
３、ここでの当該基礎伝送間隔を時間ドメイン単位としてデータ及び／又はパイロット信号の伝送を実行することとは、第１の機器が信号の受信または送信を実行する持続時間が当該基礎伝送間隔の正の整数倍である必要があることを指す。
【００４８】
４、ここでの第１の機器は、ネットワーク側機器であってもよいし、端末機器であってもよく、受信側であってもよいし、送信側であってもよく、説明の便利をために、以下、第１の機器が端末機器であり、第２の機器がネットワーク機器である例を挙げて説明する。
【００４９】
通信技術の絶え間ない進化に伴い、将来の通信システムにおいて多様なタイプのサービスが必要され、ＬＴＥシステムにおいて採用される単一のサブキャリア幅は、もう、通信要件を満たすことができない。ＬＴＥシステムとは異なるのは、５Ｇのような将来の無線通信システムにおける一つのキャリア／セル／無線伝送ポイント(ＴＲＰ：Ｔｒａｎｓｍｉｔ  Ｒｅｃｅｉｖｅ  ｐｏｉｎｔ)では、システムの柔軟性と順方向互換性を維持するために、様々な基礎パラメータセット(ｎｕｍｅｒｏｌｏｇｙ)が、ＴＤＭ、ＦＤＭまたは両者の組み合わせの方式によって共存することができる。異なるｎｕｍｅｒｏｌｏｇｙは、一般的に、異なるキャリア間隔を採用し、このため、時間ドメイン上で異なるｎｕｍｅｒｏｌｏｇｙの伝送時間ユニットの時間長さも、互いに異なる。５Ｇのような将来の無線通信システムにおいては、信号伝送の柔軟性を改善するための、新たな信号伝送方法が必要となる。
【００５０】
オプションとして、上記の基礎パラメータセットは、
サブキャリア間隔、特定の帯域幅におけるサブキャリアの数、物理リソースブロック（ＰＲＢ）におけるサブキャリアの数、直交周波数分割多重（ＯＦＤＭ）シンボルの長さ、ＯＦＤＭ信号を作成するための、高速フーリエ変換（ＦＦＴ：Ｆａｓｔ  Ｆｏｕｒｉｅｒ  Ｔｒａｎｓｆｏｒｍ）のようなフーリエ変換または高速逆フーリエ変換（ＩＦＦＴ：Ｉｎｖｅｒｓｅ  Ｆａｓｔ  Ｆｏｕｒｉｅｒ  Ｔｒａｎｓｆｏｒｍ）のようなフーリエ逆変換のポイント数、伝送時間間隔（ＴＴＩ）におけるＯＦＤＭシンボル数、特定時間長さ内に含まれたＴＴＩの数および信号プレフィックスの長さの中の、少なくとも一つのパラメータを含んでもよい。
【００５１】
その中、サブキャリア間隔とは、例えば、１５ｋＨｚ、６０ｋＨｚのような、隣接サブキャリアの周波数間隔を指し、特定帯域幅におけるサブキャリアの数は、例えば、可能の各システム帯域幅に対応されるサブキャリアの数であり、ＰＲＢに含まれたサブキャリアの数は、例えば、典型的には、１２の整数倍であってもよいし、ＴＴＩに含まれたＯＦＤＭシンボルの数は、例えば、典型的には、１４の整数倍であってもよいし、一定時間単位内に含まれたＴＴＩの数とは、１ｍｓまたは１０ｍｓの時間長さ内に含まれたＴＴＩ数量を指してもよいし、信号プレフィックス長さは、例えば、信号の循環プレフィックスの時間長さであるか、または、循環プレフィックスが通常ＣＰを使用するかそれとも拡張ＣＰを使用するかを指してもよい。
【００５２】
本発明の実施例において、端末機器は、一つの基礎パラメータセットを確定して、一つの固定の基礎パラメータセットが確定された後に、当該基礎パラメータセット中の伝送時間ユニットに対応される時間長さを確定し、当該時間長さを方法１００における基本伝送間隔として確定することによって、当該基本伝送単位に対応される時間長さを、時間ドメイン単位として、データ及び／又はパイロット信号を送信または受信してもよい。端末機器は、さらに、複数の基礎パラメータセットを確定して、複数の基礎パラメータセットが確定された後に、一つの固定の時間長さを確定し、当該時間長さを方法１００に対応される基本伝送間隔として確定することによって、当該固定の時間長さを、時間ドメイン単位として、複数の基礎パラメータセットを採用して、データ及び／又はパイロット信号を送信または受信してもよい。
【００５３】
当該一つの基礎パラメータセットまたは当該複数の基礎パラメータセットは、端末機器によって当該端末機器の伝送パラメータ(例えば、作業周波数ポイントである)に基づいて確定されたものであってもよいし、端末機器に設定された複数の基礎パラメータセットの中から選択されたものであってもよく、さらに、端末機器とネットワーク機器とによって予め合意されたものであってもよいし、ネットワーク機器によって当該ネットワーク機器に設定された複数の基礎パラメータセットの中から選択されて端末機器に通知されたものであってもよく、本発明は端末機器が基礎パラメータセットを取得する方式に対して限定しないことを、理解すべきである。
【００５４】
また、当該基本伝送間隔は、少なくとも一つの伝送時間ユニットを含んでもよく、当該伝送時間ユニットは、信号を伝送するための時間ドメインリソースユニットであってもよいことを、理解すべきである。例えば、ＯＦＤＭシンボルであってもよいし、ＴＴＩ、サブフレームのようなＬＴＥシステムにおいて定義された伝送時間ユニットであってもよく、さらに、５Ｇのような将来の無線通信システムにおいて新たに定義された伝送時間ユニットであってもよい。
【００５５】
例を挙げて説明すると、端末機器が、当該端末機器によって一つの基礎パラメータセットのみが合意されて、他の機器(例えば、ネットワーク機器である)とデータを伝送すれば、同一の一つの基礎パラメータセットを採用するため、当該端末機器がデータを送信または受信する際に採用した送信ウィンドウまたは検出ウィンドウが統一されて、伝送の複雑さを増加させなくなる。また、当該端末機器と通信する他の機器が位置するセルが異なるセルであれば、他の機器がデータを同時に当該端末機器に伝送する際に、同一の一つの基礎パラメータセットを採用するため、セル同士の間の干渉調整に影響をもたらしてセル同士の間の干渉を増加させる問題を引き起こさなくなる。
【００５６】
また、例えば、端末機器が、当該端末機器によって複数の基礎パラメータセットが合意されて、他の機器(例えば、ネットワーク機器である)とデータを伝送すれば、統一な基礎伝送間隔を採用するため、当該端末機器がデータを送信または受信する際に採用した送信ウィンドウまたは検出ウィンドウが同一であり、伝送の複雑さを増加させなくなる。また、当該端末機器と通信する他の機器が位置するセルが異なるセルであれば、他の機器がデータを同時に当該端末機器に伝送する際に、統一な基礎伝送間隔を採用するため、セル同士の間の干渉調整に影響をもたらしてセル同士の間の干渉を増加させる問題を引き起こさなくなる。
【００５７】
オプションとして、当該基本伝送間隔は、端末機器とネットワーク機器とによって予め合意されるか、または、端末機器とネットワーク機器とによって複数の基本伝送間隔を先に合意されて、端末機器またはネットワーク機器に設定されてもよい。ネットワーク機器は、データ及び／又はパイロット信号を端末機器とネットワーク機器との間で伝送する必要がある場合、複数の予め合意された基本伝送間隔の中から一つの基本伝送間隔を選択し、また、端末機器に制御シグナリングを発することによって、当該端末機器が当該制御シグナリングに基づいて基本伝送間隔を確定するようにしてもよい。当該複数の基本伝送間隔は、ネットワーク機器によって当該ネットワーク機器内に設定された複数の基礎パラメータセットに基づいて確定されてもよく、例えば、第１の基礎パラメータセットに対応される伝送時間ユニットの時間長さは、０.５ｍｓであり、第２の基礎パラメータセットに対応される伝送時間ユニットの時間長さは、１.０ｍｓであり、第３の基礎パラメータセットに対応される伝送時間ユニットの時間長さは、１.５ｍｓであると、ネットワーク機器は当該第１の基礎パラメータセット、第２の基礎パラメータセット、および、第３の基礎パラメータセットにそれぞれ対応される伝送時間ユニットの時間長さに基づいて、当該基礎伝送間隔を確定してもよく、当該基礎伝送間隔は、例えば、３ｍｓのような公倍数であってもよいし、公倍数の２倍である６ｍｓなどであってもよい。基礎伝送間隔を選択する任意の方式を採用してもよいが、好ましくは、当該基本伝送間隔は、それぞれ、確定された複数の基礎パラメータセットに対応される伝送時間ユニットの時間長さの正の整数倍である。
【００５８】
オプションとして、一つの実施例として、当該第１の機器が、当該基本伝送間隔を時間ドメイン単位として、当該少なくとも一つの基礎パラメータセット中のパラメータを採用して、第２の機器とのデータ及び／又はパイロット信号の伝送を実行することは、当該第１の機器が、当該少なくとも一つの基礎パラメータセットに基づいて、当該少なくとも一つの基礎パラメータセットの中の各基礎パラメータセットに対応される伝送時間ユニットの時間長さを確定することと、当該第１の機器が、当該基本伝送間隔、および、当該各基礎パラメータセット内の伝送時間ユニットに対応される時間長さに基づいて、当該各基礎パラメータセットに対応される、当該基本伝送間隔内の当該伝送時間ユニットの数である伝送時間ユニット数を確定することと、当該第１の機器が、それぞれ当該各基礎パラメータセットに対応される伝送時間ユニット数を、時間ドメイン単位として、第２の機器とのデータ及び／又はパイロット信号の伝送を実行することとを含む。
【００５９】
具体的に、上記の基礎パラメータセットは、当該データを伝送する時間‐周波数リソースを確定するための少なくとも一つのリソースパラメータを、含んでもよい。上記の基礎パラメータセット中のパラメータと伝送時間ユニットの時間長さとの対応関係は、端末機器とネットワーク機器とによって予め合意されるか、または、伝送時間ユニットの時間長さは、基礎パラメータセット中のパラメータに基づいて算出して得てもよい。例えば、上記の基礎パラメータセットがサブキャリア間隔を含むと、両者の関係は予め合意されてもよく、サブキャリア間隔は１５ｋＨｚとして合意され、一つのＴＴＩに対応される時間長さは１ｍｓとして合意されてもよい。また、例えば、当該伝送時間ユニットがＴＴＩであり、且つ、基礎パラメータセットがＯＦＤＭシンボル長さであるＬを含むと、一つのＴＴＩがＫ個のＯＦＤＭシンボルを含む場合、一つのＴＴＩの時間長さはＫ＊Ｌである。確定された基本伝送間隔がＴであり、且つ、一つの伝送時間ユニットの時間長さがｔであると、当該基本伝送間隔内の伝送時間ユニット数であるＮは、Ｔ／ｔに対して整数を取って得られる値である。一般的に、基本伝送時間間隔を合意する際に、当該基本伝送間隔は、基礎パラメータセット中の伝送時間ユニットに対応される時間長さの正の整数倍である。端末機器は、データ及び／又はパイロット信号を伝送する度に、少なくとも、当該伝送時間ユニット数に対応される数量の伝送時間ユニットを、送信または受信する必要がある。つまり、端末機器がデータ及び／又はパイロット信号を送信または受信するのに持続する伝送時間ユニットの数は、当該伝送時間ユニット数の正の整数倍である必要がある。
【００６０】
信号は、一般的に、一つの伝送時間ユニットを時間ドメイン単位として、伝送され、例えば、一つのＴＴＩを時間ドメイン単位とすることにより、各信号伝送の持続時間がいずれも伝送時間ユニットの整数倍になるように確保する。同様に、本発明の実施例において、基本伝送間隔内の伝送時間ユニットの数を、時間ドメイン単位とする。
【００６１】
オプションとして、当該第１の機器によって受信される当該データ及び／又は当該パイロット信号をスケジューリングするために用いられるスケジューリングシグナリングによって占用される伝送時間ユニットと、当該第１の機器が当該データ及び／又は当該パイロット信号を送信または受信することによって占用される伝送時間ユニットとの間の時間差分は、当該基本伝送間隔の正の整数倍である。当該第１の機器によって送信される当該データ及び／又は当該パイロット信号をスケジューリングするために用いられるスケジューリングシグナリングによって占用される伝送時間ユニットと、当該第１の機器が当該データ及び／又は当該パイロット信号を送信または受信することによって占用される伝送時間ユニットとの間の時間差分は、当該基本伝送間隔の正の整数倍である。
【００６２】
オプションとして、当該第１の機器によって送信される当該データによって占用される伝送時間ユニットと、当該第１の機器が対応するＡＣＫ／ＮＡＣＫフィードバック情報を受信するのに占用される伝送時間ユニットとの間の時間差分は、当該基本伝送間隔の正の整数倍であるか、或いは、当該第１の機器が当該データによって占用される伝送時間ユニットと、当該第１の機器が対応するＡＣＫ／ＮＡＣＫフィードバック情報を送信するのに占用される伝送時間ユニットとの間の時間差分は、当該基本伝送間隔の正の整数倍である。
【００６３】
具体的に、図３に示したように、伝送時間ユニットがサブフレームであり、基本伝送間隔がＴであり、ネットワーク機器によってｎサブフレームでアップリンクグラントが送信され、端末機器によってｎサブフレームでアップリンクグラントを受信した後にスケジューリングし始めてデータを用意し、また、ｎ＋Ｎ＊Ｔサブフレームで送信し始めると仮定すると、ネットワーク機器は、ｎ＋Ｎ＊Ｔサブフレームで端末機器によって送信されたデータを検出して検証を行い、また、ｎ＋Ｍ＊Ｔサブフレームで検証結果を端末機器にフィードバックする。その中、ＭおよびＮは、正の整数であり、且つ、Ｍ＞Ｎである。
【００６４】
ＬＴＥシステムにおいて、ネットワーク機器は、アップリンクグラント(アップリンクグラント情報は、割り当てたエアインタフェースリソースサイズ、新たな再伝送指示、および、送信時間などの情報を含む)を使用して、端末機器のアップリンク送信を制御し、また、アップリンク送信タイミングをはっきりと定義する。周波数分割二重(ＦＤＤ：Ｆｒｅｑｕｅｎｃｙ  Ｄｉｖｉｓｉｏｎ  ＤｕｐｌｅｘｉＮｇ)エアインターフェイス・タイミングを例とすると、ネットワーク機器は、ｎサブフレームでアップリンクグラントを発し、端末機器は、ｎサブフレームでアップリンクグラントを受信した後に、スケジューリングし始めてデータを用意し、ｎ＋４サブフレームで送信し始めなければならない。ネットワーク機器は、ｎ＋４サブフレームで端末機器によって送信されたデータを検出して検証を行い、また、ｎ＋８サブフレームで検証結果を端末機器にフィードバックする。
【００６５】
オプションとして、当該方法は、当該第１の機器が、当該第１の機器によって単一の基本伝送間隔内で受信されるすべてのデータ伝送ブロックに対応されるＡＣＫ／ＮＡＣＫフィードバック情報を、送信することをさらに含むか、或いは、当該第１の機器が、当該第１の機器によって単一の基本伝送間隔内で送信されたすべてのデータ伝送ブロックに対応されるＡＣＫ／ＮＡＣＫフィードバック情報を、受信することをさらに含む。
【００６６】
具体的に、端末機器は、単一の基本伝送間隔内で伝送するＮ個のダウンリンクデータ伝送ブロックに対して、確認(ＡＣＫ：Ａｃｋｎｏｗｌｅｄｇｅｍｅｎｔ)バインディングの方式を採用して、ＡＣＫ／ＮＡＣＫをフィードバックしてもよく、即ち、Ｎ個の伝送ブロックがいずれも正確である場合にのみ、ＡＣＫをフィードバックし、そうではない場合には、ＮＡＣＫをフィードバックしてもよい。端末機器も、ｂｉｔｍａｐの方式を採用して、ＡＣＫ／ＮＡＣＫをフィードバックしてもよく、即ち、ＮビットのＡＣＫ／ＮＡＣＫをフィードバックし、各ビットはＮ個の伝送ブロック中の一つの伝送ブロックに対応される。
【００６７】
オプションとして、当該第１の機器が、当該基本伝送間隔を時間ドメイン単位として、当該少なくとも一つの基礎パラメータセット中のパラメータを採用して、第２の機器とのデータ及び／又はパイロット信号の伝送を実行する前に、当該方法は、当該第１の機器が、第２の機器によって送信される、単一の基本伝送間隔内のデータ伝送ブロックをスケジューリングするために用いられる、スケジューリングシグナリングを、受信するステップをさらに含むか、或いは、当該第１の機器が、単一の基礎伝送間隔内のデータ伝送ブロックをスケジューリングするために用いられる、スケジューリングシグナリングを、第２の機器に送信するステップをさらに含む。
【００６８】
具体的に、一つのスケジューリングシグナリングを使用して、単一の基本伝送間隔内の一部または全部のデータ伝送ブロックを、スケジューリングしてもよい。ダウンリンク伝送の場合、端末機器は、当該スケジューリングシグナリングに基づいて基本伝送間隔内のすべてのデータ伝送ブロックを検出し、ネットワーク機器は、当該スケジューリングシグナリングに基づいて基本伝送間隔内のすべてのデータ伝送ブロックの送信を実行する。アップリンク伝送の場合、端末機器は、当該スケジューリングに基づいて基本伝送時間内のすべてのデータ伝送ブロックの送信を実行し、ネットワーク機器は、当該スケジューリングシグナリングに基づいて基本伝送間隔内のすべてのデータ伝送ブロックを検出する。
【００６９】
オプションとして、当該データと当該パイロット信号とは、異なる基本伝送間隔を採用してもよい。例えば、データ伝送に採用する基本伝送間隔は、１ｍｓであり、パイロット信号伝送に採用する基本伝送間隔は、１／１４ｍｓである。
【００７０】
以下、理解を容易にするために、本発明の実施例によって提供される信号伝送方法４００および方法５００を、詳細に説明する。
【００７１】
図４に示したように、方法４００の具体的な過程は、Ｓ４０１〜Ｓ４０７を含む。
【００７２】
Ｓ４０１において、ネットワーク機器と端末機器とが、伝送時間ウィンドウ(即ち、基本伝送間隔)のサイズを、予め合意し、例えば、伝送時間ウィンドウは、１ｍｓである。
【００７３】
Ｓ４０２において、ネットワーク機器が、データ伝送に採用するサブキャリア間隔に基づいて、一つのＴＴＩの時間長さを確定することにより、一つの伝送時間ウィンドウ内に含まれたＴＴＩ数量を確定する。その中、サブキャリア間隔と一つのＴＴＩ長さとの対応関係は、予め合意される。例えば、サブキャリア間隔が１５ｋＨｚであり、一つのＴＴＩに対応される時間長さが１ｍｓであると、一つの伝送時間ウィンドウ内には一つのＴＴＩのみが含まれる。
【００７４】
Ｓ４０３において、端末機器が、データ伝送に採用するサブキャリア間隔に基づいて、一つのＴＴＩの時間長さを確定することにより、前記伝送時間ウィンドウ内に含まれたＴＴＩの数を確定する。具体的には、ネットワーク機器の過程と同一である。
【００７５】
Ｓ４０４において、ネットワーク機器が、ハイブリッド自動再送要求(ＨＡＲＱ：Ｈｙｂｒｉｄ  Ａｕｔｏｍａｔｉｃ  Ｒｅｐｅａｔ  ｒｅＱｕｅｓｔ)タイミングの時間ウィンドウサイズを、端末機器に指示し、即ち、ＡＣＫ／ＮＡＣＫフィードバックがデータ伝送と比較して遅延される時間を指示し、前記時間は伝送時間ウィンドウを単位とする。
【００７６】
Ｓ４０５において、端末機器が、ネットワーク機器の指示を受信することにより、ＨＡＲＱタイミングの時間ウィンドウサイズを確定し、前記時間ウィンドウは伝送時間ウィンドウを単位とする。例えば、ネットワーク機器によって、ＨＡＲＱタイミングの時間ウィンドウサイズが４として指示されると、ＡＣＫ／ＮＡＣＫフィードバックがデータ伝送と比較して４個の伝送時間ウィンドウが遅延されたことを示し、即ち４個のＴＴＩが遅延されたことを示す。
【００７７】
Ｓ４０６において、ネットワーク機器が、一つの伝送時間ウィンドウ(ここでは、１個のＴＴＩである)を時間ドメイン単位として、ダウンリンクデータの伝送を実行し、ここで、各伝送時間ウィンドウは一つの伝送ブロックを伝送し、且つ、各伝送ブロックはいずれも独立のＨＡＲＱプロセスを有する。
【００７８】
Ｓ４０７において、端末機器が、一つの伝送時間ウィンドウ(ここでは、１個のＴＴＩである)を時間ドメイン単位として、ダウンリンクデータの受信を実行し、ここで、各伝送時間ウィンドウ内で、それぞれ、ネットワーク機器によって送信された伝送ブロックを検出する。端末は、ダウンリンクデータが検出された後に、４個のＴＴＩを遅延させて、対応するＡＣＫ／ＮＡＣＫフィードバックを実行する。
【００７９】
図５に示したように、方法５００の具体的な過程は、Ｓ５０１〜Ｓ５０５を含む。
【００８０】
Ｓ５０１において、ネットワーク機器が、上位レイヤシグナリングを使用して、基本伝送間隔のサイズを端末機器に指示する。その中、ネットワーク機器は、２ビットのシグナリングを採用して、端末機器がどの基本伝送間隔を採用するかを指示し、２ビットの情報に対応される４個の基本伝送間隔のサイズは、それぞれ、１ｍｓ、２ｍｓ、４ｍｓ、８ｍｓである。当該４個の基本伝送間隔は端末機器とネットワーク機器との間で予め合意され、また、ネットワーク機器によって指示された基本伝送間隔サイズは２ｍｓであると仮定する。
【００８１】
Ｓ５０２において、ネットワーク機器が、データ伝送に採用する基礎パラメータセット中のＯＦＤＭシンボル長さに基づいて、一つのサブフレームの時間長さを確定することにより、指示された基本伝送間隔内に含まれたサブフレーム数を確定する。
【００８２】
Ｓ５０３において、端末機器が、ネットワーク機器の過程と同一に、データ伝送に採用する基礎パラメータセット中のＯＦＤＭシンボル長さに基づいて、一つのサブフレームの時間長さを確定することにより、前記基本伝送間隔内に含まれたサブフレーム数を確定する。ＯＦＤＭシンボル長さが１／１４ｍｓであり、一つのサブフレームが１４個のＯＦＤＭシンボルを含むと仮定すると、一つのサブフレームの時間長さは１ｍｓである。この場合、一つの基本伝送間隔内に含まれたサブフレーム数は、２である。
【００８３】
Ｓ５０４において、端末機器とネットワーク機器とが、アップリンクデータスケジューリングのタイミングを合意し、即ち、アップリンクスケジューリングシグナリングと対応するデータ伝送との間の差分である、基本伝送間隔の数を、合意する。ここで、両者の差分が、２個の基本伝送時間であると仮定し、即ち、４個のサブフレームの時間長さであると仮定する。
【００８４】
Ｓ５０５において、端末機器が、ネットワーク機器のスケジューリングシグナリングを受信した後に、４個のサブフレームの時間長さを遅延させて、２个サブフレームを時間ドメイン単位として、アップリンクデータの伝送を実行し、ここで、各サブフレームは一つの伝送ブロックを伝送し、即ち、端末機器は、毎回の伝送で、少なくとも２個の伝送ブロックを送信する必要がある。
【００８５】
本発明の各実施例において、上記の各過程の番号は実施の前後順序と意味せず、各過程の実施順序は、その機能と自身の組み込みロジックによって確定されるべきであり、本発明の実施例の実施過程を制限するものになるわけではないことを、理解すべきである。
【００８６】
また、上記の実施例１および実施例２は、信号伝送方法の詳細なステップまたは操作を説明したが、これらステップまたは操作は単なる例示的なものだけである。本発明の実施例は、他の操作または各操作の変形を実行してもよい。なお、実施例１および実施例２中の各ステップは、異なる順序に従って実行されてもよく、また、上記の実施例１および実施例２中の全部の操作は必ずとして実行される必要がないことを、理解すべきである。
【００８７】
以上、図２〜図５と結合して、本発明の実施例に係る信号伝送方法を詳細に説明した。以下、図６〜図９と結合して、本発明の実施例に係る信号を伝送する装置を説明し、方法の実施例で説明した技術特徴は以下の装置の実施例に適用できる。
【００８８】
図６は、本発明の実施例に関する信号を伝送するための端末機器２００を示す例示的なブロック図である。図６に示したように、当該端末機器２００は、確定ユニット２１０と伝送ユニット２２０とを含む。
【００８９】
確定ユニット２１０は、基本伝送間隔および少なくとも一つの基礎パラメータセットを確定するように構成される。
【００９０】
伝送ユニット２２０は、前記基本伝送間隔を時間ドメイン単位として、前記少なくとも一つの基礎パラメータセット中のパラメータを採用して、ネットワーク機器または第２の端末機器とのデータ及び／又はパイロット信号の伝送を実行する。
【００９１】
具体的に、端末機器は、一つの基礎パラメータセットを確定し、また、一つの固定の基礎パラメータセットが確定された後に、当該基礎パラメータセット中の伝送時間ユニットに対応される時間長さを確定して、当該時間長さを方法１００における基本伝送間隔として確定することにより、当該基本伝送単位に対応される時間長さを時間ドメイン単位として、データ及び／又はパイロット信号を送信または受信してもよい。端末機器は、さらに、複数の基礎パラメータセットを確定し、また、複数の基礎パラメータセットが確定された後に、一つの固定の時間長さを確定して、方法１００に対応される基本伝送間隔として確定することにより、当該固定の時間長さを時間ドメイン単位とし、また、複数の基礎パラメータセットを採用して、データ及び／又はパイロット信号を送信または受信してもよい。
【００９２】
本発明の実施例は、信号伝送の柔軟性を向上させることができる、新たな信号を伝送するための端末機器を、提供した。
【００９３】
当該一つの基礎パラメータセットまたは当該複数の基礎パラメータセットは、端末機器によって当該端末機器の伝送パラメータ(例えば、作業周波数ポイントである) に基づいて確定されたものであってもよいし、端末機器に設定された複数の基礎パラメータセットの中から選択されたものであってもよく、さらに、端末機器とネットワーク機器とによって予め合意されたものであってもよいし、ネットワーク機器によってネットワーク機器に設定された複数の基礎パラメータセットの中から選択されて端末機器に通知されたものであってもよく、本発明は端末機器が基礎パラメータセットを取得する方式に対して限定しないことを、理解すべきである。
【００９４】
端末機器は、複数の基礎パラメータセットが存在する場合に、一つの基礎パラメータセットのみを選択して、ネットワーク機器との信号伝送を実行することにより、端末機器の伝送信号が適切な検出ウィンドウまたは送信ウィンドウを有するように確保でき、さらに、端末機器は、複数の基礎パラメータセットを選択する場合に、確定された基本伝送間隔を、端末機器の信号を伝送する検出ウィンドウまたは送信ウィンドウとして、異なる基礎パラメータセットを同時に採用する異なるセル同士の間で、良好に干渉調整を実行することもできる。
【００９５】
オプションとして、一つの実施例として、当該伝送ユニットは、具体的に、
当該少なくとも一つの基礎パラメータセットに基づいて、当該少なくとも一つの基礎パラメータセットの中の各基礎パラメータセット内の伝送時間ユニットに対応される時間長さを確定し、
当該基本伝送間隔、および、当該各基礎パラメータセット内の伝送時間ユニットに対応される時間長さに基づいて、当該各基礎パラメータセットに対応される、当該基本伝送間隔内の当該伝送時間ユニットの数である伝送時間ユニット数を確定し、
それぞれ当該各基礎パラメータセットに対応される伝送時間ユニット数を時間ドメイン単位として、ネットワーク機器または第２の端末機器とのデータ及び／又はパイロット信号の伝送を実行するように構成される。
【００９６】
オプションとして、一つの実施例として、当該確定ユニットは、具体的に、
記憶されたプリセット情報に基づいて、当該基本伝送間隔を確定するように構成されるか、或いは、
受信したネットワーク機器によって送信された、当該基本伝送間隔を指示するために用いられる制御シグナリングに基づいて、当該基本伝送間隔を確定するように構成される。
【００９７】
オプションとして、一つの実施例として、当該端末機器は、送信ユニットをさらに含む。
【００９８】
送信ユニットは、制御シグナリングを当該ネットワーク機器または第２の端末機器に送信し、当該ネットワーク機器または当該第２の端末機器が、当該制御シグナリングに基づいて、当該基本伝送間隔を確定するようにするように構成される。
【００９９】
オプションとして、一つの実施例として、当該データ及び／又は当該パイロット信号をスケジューリングするために用いられるスケジューリングシグナリングによって占用される伝送時間ユニットと、当該端末機器が送信または受信した当該データ及び／又は当該パイロット信号によって占用される伝送時間ユニットとの間の時間差分は、当該基本伝送間隔の正の整数倍である。
【０１００】
オプションとして、一つの実施例として、当該端末機器によって送信された当該データによって占用される伝送時間ユニットと、当該端末機器が対応するＡＣＫ／ＮＡＣＫフィードバック情報を受信するのに占用される伝送時間ユニットとの間の時間差分は、当該基本伝送間隔の正の整数倍であるか、或いは、当該端末機器が当該データを受信するのに占用される伝送時間ユニットと、当該端末機器が対応するＡＣＫ／ＮＡＣＫフィードバック情報を送信するのに占用される伝送時間ユニットとの間の時間差分は、当該基本伝送間隔の正の整数倍である。
【０１０１】
オプションとして、一つの実施例として、当該端末機器は、第２の送信ユニット、或いは、第１の受信ユニットをさらに含む。
【０１０２】
第２の送信ユニットは、当該機器によって単一の基本伝送間隔内で受信されるすべてのデータ伝送ブロックに対応される、ＡＣＫ／ＮＡＣＫフィードバック情報を、送信するように構成される。
【０１０３】
第１の受信ユニットは、当該機器によって単一の基本伝送間隔内で送信されたすべてのデータ伝送ブロックに対応される、ＡＣＫ／ＮＡＣＫフィードバック情報を、受信するように構成される。
【０１０４】
オプションとして、一つの実施例として、当該端末機器は、第２の受信ユニットをさらに含む。
【０１０５】
第２の受信ユニットは、ネットワーク機器または第２の端末機器によって送信された、単一の基本伝送間隔内のデータ伝送ブロックをスケジューリングするために用いられるスケジューリングシグナリングを、受信するように構成される。
【０１０６】
オプションとして、一つの実施例として、当該端末機器は、第３の送信ユニットをさらに含む。
【０１０７】
第３の送信ユニットは、単一の基本伝送間隔内のデータ伝送ブロックをスケジューリングするために用いられる、スケジューリングシグナリングを、ネットワーク機器または第２の端末機器に送信するように構成される。
【０１０８】
本発明の実施例に係る端末機器２００は、本発明の実施例の信号伝送方法１００の実行主体に対応され、また、端末機器２００における各モジュールの上記又は他の操作及び／又は機能は、それぞれ、図２〜図５の各方法の対応する過程を実現するものであってもよく、簡素化のために、ここでは繰り返して説明しないことを、理解すべきである
図７は、本発明の実施例に係る信号を伝送するためのネットワーク機器３００を示す例示的なブロック図である。図７に示したように、当該ネットワーク機器３００は、確定ユニット３１０と伝送ユニット３２０とを含む。
【０１０９】
確定ユニット３１０は、基本伝送間隔および少なくとも一つの基礎パラメータセットを確定するように構成される。
【０１１０】
伝送ユニット３２０は、当該基本伝送間隔を時間ドメイン単位として、当該少なくとも一つの基礎パラメータセット中のパラメータを採用して、第２のネットワーク機器または端末機器とのデータ及び／又はパイロット信号の伝送を実行するように構成される。
【０１１１】
本発明の実施例は、信号伝送の柔軟性を向上させることができる、新たな信号を伝送するためのネットワーク機器を、提供した。
【０１１２】
オプションとして、一つの実施例として、当該確定ユニットは、具体的に、
複数の基礎パラメータセットの中から、当該少なくとも一つの基礎パラメータセットを確定するように構成される。
【０１１３】
オプションとして、一つの実施例として、当該伝送ユニットは、具体的に、
当該少なくとも一つの基礎パラメータセットに基づいて、当該少なくとも一つの基礎パラメータセットの中の各基礎パラメータセット内の伝送時間ユニットに対応される時間長さを確定し、
当該基本伝送間隔、および、当該各基礎パラメータセット内の伝送時間ユニットに対応される時間長さに基づいて、当該各基礎パラメータセットに対応される、当該基本伝送間隔内の当該伝送時間ユニットの数である伝送時間ユニット数を確定し、
それぞれ当該各基礎パラメータセットに対応される伝送時間ユニット数を時間ドメイン単位として、第２のネットワーク機器または端末機器データ及び／又はパイロット信号の伝送を実行するように構成される。
【０１１４】
オプションとして、一つの実施例として、当該確定ユニットは、具体的に、
記憶されたプリセット情報に基づいて、当該基本伝送間隔を確定するように構成されるか、或いは、
受信した第２のネットワーク機器または端末機器によって送信された、当該基本伝送間隔を指示するために用いられる制御シグナリングに基づいて、当該基本伝送間隔を確定するように構成される。
【０１１５】
オプションとして、一つの実施例として、当該ネットワーク機器は、送信ユニットをさらに含む。
【０１１６】
送信ユニットは、制御シグナリングを第２のネットワーク機器または端末機器に送信することにより、当該第２のネットワーク機器または当該端末機器が当該制御シグナリングに基づいて当該基本伝送間隔を確定するようにするように構成される。
【０１１７】
オプションとして、一つの実施例として、当該データ及び／又は当該パイロット信号をスケジューリングするために用いられるスケジューリングシグナリングによって占用される伝送時間ユニットと、当該端末機器が送信または受信した当該データ及び／又は当該パイロット信号によって占用される伝送時間ユニットとの間の時間差分は、当該基本伝送間隔の正の整数倍である。
【０１１８】
オプションとして、一つの実施例として、当該ネットワーク機器によって送信された当該データによって占用される伝送時間ユニットと、当該ネットワーク機器が対応するＡＣＫ／ＮＡＣＫフィードバック情報を受信するのに占用される伝送時間ユニットとの間の時間差分は、当該基本伝送間隔の正の整数倍であるか、或いは、当該ネットワーク機器が当該データを受信するのに占用される伝送時間ユニットと、当該ネットワーク機器が対応するＡＣＫ／ＮＡＣＫフィードバック情報を送信するのに占用される伝送時間ユニットとの間の時間差分は、当該基本伝送間隔の正の整数倍である。
【０１１９】
オプションとして、一つの実施例として、当該ネットワーク機器は、第２の送信ユニット、或いは、第１の受信ユニットをさらに含む。
【０１２０】
第２の送信ユニットは、当該機器によって単一の基本伝送間隔内で受信されるすべてのデータ伝送ブロックに対応される、ＡＣＫ／ＮＡＣＫフィードバック情報を、送信するように構成される。
【０１２１】
第１の受信ユニットは、当該機器によって単一の基本伝送間隔内で送信されたすべてのデータ伝送ブロックに対応される、ＡＣＫ／ＮＡＣＫフィードバック情報を、受信するように構成される。
【０１２２】
オプションとして、一つの実施例として、当該ネットワーク機器は、第２の受信ユニットをさらに含む。
【０１２３】
第２の受信ユニットは、第２のネットワーク機器または端末機器によって送信された、単一の基本伝送間隔内のデータ伝送ブロックをスケジューリングするために用いられるスケジューリングシグナリングを、受信するように構成される。
【０１２４】
オプションとして、一つの実施例として、当該ネットワーク機器は、第３の送信ユニットをさらに含む。
【０１２５】
第３の送信ユニットは、単一の基本伝送間隔内のデータ伝送ブロックをスケジューリングするために用いられる、スケジューリングシグナリングを、第２のネットワーク機器または端末機器に送信するように構成される。
【０１２６】
本発明の実施例に係るネットワーク機器３００は、本発明の実施例の信号伝送方法１００の実行主体に対応され、また、ネットワーク機器３００における各モジュールの上記又は他の操作及び／又は機能は、それぞれ、図２〜図５の各方法の該当する過程を実現するものであってもよく、簡素化のために、ここでは繰り返して説明しないことを、理解すべきである。
【０１２７】
上記の実施例によって提供される装置がその機能を実現する際に、上記の各機能ユニットに切り分けて実現される例のみを挙げて説明したが、実際の応用においては、必要によって上記の機能を異なる機能ユニットに割り当てて完成してもよく、即ち、機器の内部構成を異なる機能ユニットに切り分けて、上記に説明した全部または一部の機能を完成してもよいことを、説明する必要がある。また、上記の実施例によって提供される装置は、方法の実施例と同一な構想に属し、その具体的な実現過程の詳細は、方法の実施例を参照してもよく、ここでは繰り返して説明しない。
【０１２８】
図８は、本発明の実施例に係る端末機器１０を示す例示的なブロック図である。図８に示した端末機器１０は、メモリ１１と、プロセッサ１２と、入出力インタフェース１３と、通信インタフェース１４と、バスシステム１５とを含む。その中、メモリ１１と、プロセッサ１２と、入出力インタフェース１３と、通信インタフェース１４とは、バスシステム１５によって接続される。当該メモリ１１は、命令を記憶するために構成され、当該プロセッサ１２は、当該メモリ１１に記憶された命令を実行するように構成されて、入出力インタフェース１３が入力されるデータおよび情報を受信し、操作結果などのデータを出力するように制御し、また、通信インタフェース１４が信号を送信するように制御する。
【０１２９】
プロセッサ１２は、基本伝送間隔および少なくとも一つの基礎パラメータセットを確定し、また、当該基本伝送間隔を時間ドメイン単位として、当該少なくとも一つの基礎パラメータセット中のパラメータを採用して、ネットワーク機器または第２の端末機器とのデータ及び／又はパイロット信号の伝送を実行するように構成される。
【０１３０】
本発明の実施例において、当該プロセッサ１２は、汎用の中央プロセッサ（ＣＰＵ：Ｃｅｎｔｒａｌ  Ｐｒｏｃｅｓｓｉｎｇ  Ｕｎｉｔ）、マイクロプロセッサ、アプリケーション専用集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、或いは、一つ又は複数の集積回路を採用して、関連するプログラムを実行することによって、本発明の実施例によって提供される技術案を実現してもよいことを、理解すべきである。
【０１３１】
また、通信インタフェース１４は、例えば、トランシーバのような送受信装置を使用して、アクセスネットワーク実体１０と他の機器または通信ネットワークとの間の通信を実現してもよいが、これらに限定されないことを、理解すべきである。
【０１３２】
当該メモリ１１は、読み取り専用メモリおよびランダムアクセスメモリを含んでもよく、プロセッサ１２に対して命令およびデータを提供するために使用される。プロセッサ１２の一部は、さらに、不揮発性ランダムアクセスメモリを含んでもよい。例えば、プロセッサ１２は、さらに、機器タイプの情報を記憶してもよい。
【０１３３】
当該バスシステム１５、データバス意外に、さらに、電源バス、制御バス、および、状態信号バスなどを含んでもよい。しかし、明確に説明するために、図面ではさまざまなバスをいずれもバスシステム１５として表記した。
【０１３４】
実現過程において、上記方法の各ステップは、プロセッサ１２におけるハードウェアの集積論理回路、又はソフトウェア形態の命令により完成されても良い。本発明の実施例に開示された方法を結合するステップは、ハードウェア処理で実行し、又はプロセッサ内のハードウェアとソフトウェアの組み合わせで実行すると直接に現れる。ソフトウェアモジュールは、ランダム記憶装置、フラッシュ、読み取り専用記憶装置、プログラマブル読み取り専用メモリ又は電気的消去可能プログラマブルメモリ、レジスタなどの本分野における成熟した記憶媒体に位置してもよい。当該記憶媒質は、メモリ１１に位置し、プロセッサ１２はメモリ１１において命令を実行し、そのハードウェアと組み合わせて上記方法のステップを完成する。重複を避けるために、ここで省略する。
【０１３５】
オプションとして、一つの実施例として、当該プロセッサ１２は、具体的に、複数の基礎パラメータセットの中から、当該少なくとも一つの基礎パラメータセットを確定するように構成される。
【０１３６】
オプションとして、一つの実施例として、当該プロセッサ１２は、具体的に、当該少なくとも一つの基礎パラメータセットに基づいて、当該少なくとも一つの基礎パラメータセットの中の各基礎パラメータセット内の伝送時間ユニットに対応される時間長さを確定し、当該基本伝送間隔、および、当該各基礎パラメータセット内の伝送時間ユニットに対応される時間長さに基づいて、当該各基礎パラメータセットに対応される、当該基本伝送間隔内の当該伝送時間ユニットの数である伝送時間ユニット数を確定し、それぞれ当該各基礎パラメータセットに対応される伝送時間ユニット数を時間ドメイン単位として、ネットワーク機器または第２の端末機器とのデータ及び／又はパイロット信号の伝送を実行するように構成される。
【０１３７】
オプションとして、一つの実施例として、当該プロセッサ１２は、具体的に、記憶されたプリセット情報に基づいて、前記基本伝送間隔を確定するように構成されるか、或いは、受信したネットワーク機器によって送信された、前記基本伝送間隔を指示するために用いられる制御シグナリングに基づいて、前記基本伝送間隔を確定する。
【０１３８】
オプションとして、一つの実施例として、当該プロセッサ１２は、さらに、制御シグナリングを当該ネットワーク機器または第２の端末機器に送信し、当該ネットワーク機器または当該第２の端末機器が当該制御シグナリングに基づいて当該基本伝送間隔を確定するようにするように構成される。
【０１３９】
オプションとして、一つの実施例として、当該プロセッサ１２は、さらに、ネットワーク機器または第２の端末機器によって送信された、単一の基本伝送間隔内のデータ伝送ブロックをスケジューリングするために用いられるスケジューリングシグナリングを、受信するように構成される。
【０１４０】
オプションとして、一つの実施例として、当該プロセッサ１２は、さらに、単一の基本伝送間隔内のデータ伝送ブロックをスケジューリングするために用いられるスケジューリングシグナリングを、ネットワーク機器または第２の端末機器に送信するように構成される。
【０１４１】
図９は、本発明の実施例に係るネットワーク機器２０を示す例示的なブロック図である。図９に示したネットワーク機器２０は、メモリ２１と、プロセッサ２２と、入出力インタフェース２３と、通信インタフェース２４と、バスシステム２５とを含む。その中、メモリ２１と、プロセッサ２２と、入出力インタフェース２３と、通信インタフェース２４とは、バスシステム２５によって接続される、当該メモリ２１は、命令を記憶するために構成され、当該プロセッサ２２は、当該メモリ２１に記憶された命令を実行するように構成されて、入出力インタフェース２３が入力されるデータおよび情報を受信し、操作結果などのデータを出力するように制御し、また、通信インタフェース２４が信号を送信するように制御する。
【０１４２】
プロセッサ２２は、基本伝送間隔および少なくとも一つの基礎パラメータセットを確定し、当該基本伝送間隔を時間ドメイン単位として、当該少なくとも一つの基礎パラメータセット中のパラメータを採用して、第２のネットワーク機器または端末機器データ及び／又はパイロット信号の伝送を実行するように構成される。
【０１４３】
オプションとして、一つの実施例として、プロセッサ２２は、具体的に、複数の基礎パラメータセットの中から前記少なくとも一つの基礎パラメータセットを確定するように構成される。
【０１４４】
オプションとして、一つの実施例として、当該プロセッサ１２は、具体的に、当該少なくとも一つの基礎パラメータセットに基づいて、当該少なくとも一つの基礎パラメータセットの中の各基礎パラメータセット内の伝送時間ユニットに対応される時間長さを確定し、当該基本伝送間隔、および、当該各基礎パラメータセット内の伝送時間ユニットに対応される時間長さに基づいて、当該各基礎パラメータセットに対応される、当該基本伝送間隔内の当該伝送時間ユニットの数である伝送時間ユニット数を確定し、それぞれ当該各基礎パラメータセットに対応される伝送時間ユニット数を時間ドメイン単位として、第２のネットワーク機器または端末機器データ及び／又はパイロット信号の伝送を実行するように構成される。
【０１４５】
オプションとして、一つの実施例として、当該プロセッサ１２は、具体的に、記憶されたプリセット情報に基づいて、当該基本伝送間隔を確定するように構成されるか、或いは、受信した第２のネットワーク機器または端末機器によって送信された、当該基本伝送間隔を指示するために用いられる制御シグナリングに基づいて、当該基本伝送間隔を確定するように構成される。
【０１４６】
オプションとして、一つの実施例として、当該プロセッサ１２は、さらに、制御シグナリングを第２のネットワーク機器または端末機器に送信し、当該端末機器が当該制御シグナリングに基づいて当該基本伝送間隔を確定するように構成される。
【０１４７】
オプションとして、一つの実施例として、当該プロセッサ１２は、さらに、第２のネットワーク機器または端末機器によって送信された、単一の基本伝送間隔内のデータ伝送ブロックをスケジューリングするために用いられるスケジューリングシグナリングを、受信するように構成される。
【０１４８】
オプションとして、一つの実施例として、当該プロセッサ１２は、さらに、単一の基本伝送間隔内のデータ伝送ブロックをスケジューリングするために用いられるスケジューリングシグナリングを、第２のネットワーク機器または端末機器に送信するように構成される。
【０１４９】
本発明の実施例において、当該プロセッサ２２は、汎用の中央プロセッサ（ＣＰＵ：Ｃｅｎｔｒａｌ  Ｐｒｏｃｅｓｓｉｎｇ  Ｕｎｉｔ）、マイクロプロセッサ、アプリケーション専用集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、或いは、一つ又は複数の集積回路を採用して、関連するプログラムを実行することによって、本発明の実施例によって提供される技術案を実現してもよいことを、理解すべきである。
【０１５０】
また、通信インタフェース２４は、例えば、トランシーバのような送受信装置を使用して、アクセスネットワーク実体２０と他の機器または通信ネットワークとの間の通信を実現してもよいが、これらに限定されないことを、理解すべきである。
【０１５１】
当該メモリ２１は、読み取り専用メモリおよびランダムアクセスメモリを含んでもよく、プロセッサ２２に対して命令およびデータを提供するために使用される。プロセッサ２２の一部は、さらに、不揮発性ランダムアクセスメモリを含んでもよい。例えば、プロセッサ２２は、さらに、機器タイプの情報を記憶してもよい。
【０１５２】
当該バスシステム２５、データバス意外に、さらに、電源バス、制御バス、および、状態信号バスなどを含んでもよい。しかし、明確に説明するために、図面ではさまざまなバスをいずれもバスシステム２５として表記した。
【０１５３】
実現過程において、上記方法の各ステップは、プロセッサ２２におけるハードウェアの集積論理回路、又はソフトウェア形態の命令により完成されても良い。本発明の実施例に開示された方法を結合するステップは、ハードウェア処理で実行し、又はプロセッサ内のハードウェアとソフトウェアの組み合わせで実行すると直接に現れる。ソフトウェアモジュールは、ランダム記憶装置、フラッシュ、読み取り専用記憶装置、プログラマブル読み取り専用メモリ又は電気的消去可能プログラマブルメモリ、レジスタなどの本分野における成熟した記憶媒体に位置してもよい。当該記憶媒質は、メモリ２１に位置し、プロセッサ２２はメモリ２１において命令を実行し、そのハードウェアと組み合わせて上記方法のステップを完成する。重複を避けるために、ここで省略する。
【０１５４】
本発明の実施例において、「Ａに対応されるＢ」は、ＢがＡと関連されることを示し、Ａに基づいてＢを確定できることを、理解すべきである。しかし、Ａに基づいてＢを確定できることは、Ａのみに基づいてＢを確定できることを意味することでなく、また、Ａ及び／或いはその他の情報に基づいてＢを確定できることを、理解すべきである。
【０１５５】
なお、本願における用語である「及び／或いは」は、単なる関連対象の対応関係を説明しているに過ぎず、３つの関係が表されることができる。例えば、Ａ及び／又はＢは、Ａのみが存在する場合と、Ａ及びＢの両方とも存在する場合と、Ｂのみが存在する場合とを表すことができる。さらに、本願における文字“／”は、概して前後関連対象間の「又は」という関係を表している。
【０１５６】
本発明の各実施例において、上記の各過程の番号は実施の前後順序と意味せず、各過程の実施順序は、その機能と自身のロジックによって確定されるべきであり、本発明の実施例の実施過程を制限するものになるわけではないことを、理解すべきである。
【０１５７】
本願に開示されている実施例に説明されている各例示的なユニット及びアルゴリズムのステップを結合し、電子ハードウェア、又はコンピュータソフトウェアと電子ハードウェアの結合を用いて実現することができると、当業者であれば理解できる。これらの機能がハードウェアの形式かそれともソフトウェアの形式で実施するかについては、技術案の特定応用と設計制約によるものである。当業者は、各特定応用に応じて異なる方法を用いて、説明されている機能を実現することができるが、このような実現は本発明の範囲を超えていると見なすべきではない。
【０１５８】
当業者は、説明の便利と簡潔上、上記に記載されているシステム、装置及びユニットの具体的な動作については、上記の方法実施例の対応されているフローを参照することができ、ここでそれ以上述べない。
【０１５９】
本願に提供されている幾つかの実施例において、開示されているシステム、装置及び方法は、その他の方式で実現されても良い。例えば、上記に記載されている装置の実施例は単なる例示的なものに過ぎず、例えば、前記ユニットの分け方が、単なるロジック的な機能分けであり、実際、実現する時に他の分け方があっても良く、例えば、複数のユニット又はコンポーネントを他のシステムへ統合、又は集成しても良く、又は幾つかの技術特徴を省略、又は実施しなくても良い。また、明示され、又は議論されている各構成部分の互い的なカップリング、又は直接のカップリング、又は通信接続は、幾つかのインターフェース、装置、又はユニットの間接のカップリング又は通信によって接続されても良く、電気的、機械的、又はその他の形式であっても良い。
【０１６０】
上記で分離コンポーネントとして説明したユニットは、物理的に分離されるものであっても良く、そうではないものであっても良い。ユニットとして示されるコンポーネントは物理ユニットであっても良く、そうではないものであっても良い。一箇所に配置されても良く、複数のネットワークユニットに配布しても良い。実際のニーズに応じて、その中の一部又は全部のユニットを選択して本実施例の技術案の目的を実現しても良い。
【０１６１】
また、本発明の各実施例における各機能ユニットは、一つの処理ユニットに統合しても良く、各ユニットはそれぞれ単独なユニットとしても良く、二つ又は二つ以上のユニットを一つのユニットに統合しても良い。
【０１６２】
上記の集成されたユニットは、ソフトウェア機能モジュールの方式で実現し、しかも独立な製品として販売又は使用する時に、コンピュータ読み取り可能の媒体に記憶しても良い。これによって、本発明の実施例の技術案は、事実上、言い換えれば先行技術に貢献した部分として、ソフトウェア製品の形で具現でき、該コンピュータソフトウェア製品は記憶媒体に記憶され、コンピュータ装置（パソコン、サーバ、またはネットワーク装置などであっても良い）に本発明の各実施例の全部または一部の前記方法を実行させための複数の命令を含む。上記の記憶媒体は、ＵＳＢメモリ、モバイル記憶媒体、読み取り専用メモリ（ＲＯＭ：Ｒｅａｄ−Ｏｎｌｙ  Ｍｅｍｏｒｙ）、ランダムアクセス記憶装置（ＲＡＭ：Ｒａｎｄｏｍ  Ａｃｃｅｓｓ  Ｍｅｍｏｒｙ）、磁気ディスク又はコンパクトディスクなどの各種のプログラムコードが記憶できる媒体を含む。
【０１６３】
上記に記載されているのは、単なる本発明の具体的な実施形態に過ぎず、本発明はそれに限らず、当業者が本発明に開示されている範囲内において、容易に想到し得る変形又は入れ替えは、全て本発明の範囲内に含まれるべきである。そのため、本発明の範囲は、記載されている特許請求の範囲に準じるべきである。
【図１】
2019527516.tif 000003
【図２】
2019527516.tif 000004
【図３】
2019527516.tif 000005
【図４】
2019527516.tif 000006
【図５】
2019527516.tif 000007
【図６】
2019527516.tif 000008
【図７】
2019527516.tif 000009
【図８】
2019527516.tif 000010
【図９】
2019527516.tif 000011
【国際調査報告】
2019527516.tif 000012
2019527516.tif 000013
2019527516.tif 000014
2019527516.tif 000015